(57)【特許請求の範囲】
【請求項１】
回動リングと、前記回動リングを回動自在に保持した保持部材と、前記保持部材に保持され前記回動リングを当て止めして回動リングの回動を規制する弾性体からなる回動規制部材と、前記回動規制部材の一部を受容する回動規制部材受容部とを備え、
前記保持部材は、前記回動規制部材を保持した１つの保持軸と、前記回動規制部材が前記保持軸回りに回らないように回り止めする回り止め部とを備え、
前記回り止め部は、前記回動リングの周方向に互いに間隔を隔てて互いの間に前記回動規制部材受容部を形成するように配置された第１回り止め部及び第２回り止め部を備え、
前記回動規制部材は、前記回動規制部材受容部に受容され前記周方向に所定の幅を有する嵌挿部と、前記嵌挿部の幅方向の一方端面に形成され前記第１回り止め部に当接する第１当接部と、前記嵌挿部の幅方向の他方端面に形成され前記第２回り止め部に当接する第２当接部とを備えていることを特徴とする回動規制装置。
【請求項２】
前記回動規制部材は、第１当て止め部及び第２当て止め部を有し、
前記保持軸は、前記回動リングの径方向における前記保持軸の軸心の位置が前記保持軸に保持された前記回動規制部材の前記第１当て止め部及び前記第２当て止め部のそれぞれにおける前記回動リングの径方向の最も径方向外側に位置する最外側部と同じか又は前記最外側部よりも内側になるように配置されていることを特徴とする請求項１に記載の回動規制装置。
【請求項３】
請求項１又は２記載の回動規制装置を備えたことを特徴とするレンズ鏡胴。
【発明の詳細な説明】
【技術分野】
【０００１】
本発明は、回動リングを当て止めして回動リングの回動を規制する回動規制装置及びレンズ鏡胴に関するものである。
【背景技術】
【０００２】
回動リングを当て止めして回動リングの回動を規制する回動規制装置は、例えば特許文献１に開示されている。この特許文献１に開示された回動規制装置は、レンズ鏡胴に用いられており、回動リングと、回動リングを回動自在に保持した保持部材と、保持部材に保持され前記回動リングを当て止めして回動リングの回動を規制する弾性体からなる回動規制部材とを備えている。又、回動規制部材は、保持部材に互いに距離を隔てて形成された２つの軸に保持されている。そして、回動リングの一方向側への回動に際して回動規制部材における前記周方向の一方端面に回動リングを当て止めし、回動リングの他方向側への回動に際して回動規制部材における前記周方向の他方端面に回動リングを当て止めし、これにより、回動リングの回動を規制するようにしている。
【先行技術文献】
【特許文献】
【０００３】
【特許文献１】特開２０１０−４９１５３号公報
【発明の概要】
【発明が解決しようとする課題】
【０００４】
しかしながら、特許文献１では、回動規制部材が互いに回動リングの周方向に距離を隔てて形成された２つの軸に保持されているため、２つの軸のそれぞれの位置や互いのピッチ距離等の寸法の製作誤差によって、回動規制部材の回動リングに対する設定位置からの位置ずれが生じ易く、回動規制部材が回動リングに対する設定位置に配置し難い。
【０００５】
又、回動規制部材が互いに回動リングの周方向に距離を隔てて形成された２つの軸に保持されているため、回動規制部材における前記周方向の長さ（幅）が長くなってしまっている。その結果、弾性体からなる回動規制部材の寸法精度が低下する。しかも、回動規制部材の配置スペースが大きくなってしまい、他の部材の配置スペースが狭くなってしまう。
【０００６】
本発明は、回動規制部材が回動リングに対する設定位置に配置し易く、しかも、弾性体からなる回動規制部材の寸法精度が低下することを抑え、回動規制部材の配置スペースを小さくできる回動規制装置及びレンズ鏡胴の提供を目的とする。
【課題を解決するための手段】
【０００７】
本発明の一態様に係る回動規制装置は、回動リングと、前記回動リングを回動自在に保持した保持部材と、前記保持部材に保持され前記回動リングを当て止めして回動リングの回動を規制する弾性体からなる回動規制部材と、前記回動規制部材の一部を受容する回動規制部材受容部とを備え、前記保持部材は、前記回動規制部材を保持した１つの保持軸と、前記回動規制部材が前記保持軸回りに回らないように回り止めする回り止め部とを備え、前記回り止め部は、前記回動リングの周方向に互いに間隔を隔てて互いの間に前記回動規制部材受容部を形成するように配置された第１回り止め部及び第２回り止め部を備え、前記回動規制部材は、前記回動規制部材受容部に受容され前記周方向に所定の幅を有する嵌挿部と、前記嵌挿部の幅方向の一方端面に形成され前記第１回り止め部に当接する第１当接部と、前記嵌挿部の幅方向の他方端面に形成され前記第２回り止め部に当接する第２当接部とを備えていることを特徴とする。
【０００８】
これによれば、回動規制部材は保持部材に形成された１つの保持軸に保持され、保持軸に保持された回動規制部材が回り止め部によって保持軸回りに回らないようにされているため、保持軸を所定の位置に形成し易く、回動規制部材の保持部材に対する配置ずれが少なくなる。しかも、弾性体からなる回動規制部材における回動リングの周方向の長さを短くでき、回動規制部材の寸法精度が向上するとともに、狭いスペースに回動規制部材を配置可能にでき、回動規制装置全体の小型化が図られる。
【０００９】
又、回動規制部材における回動リングの周方向に沿う幅方向の一方端面に第１当接部を備え、他方端面に第２当接部を備えているため、回動規制部材にかかる保持軸回りのモーメントを回動規制部材の幅全体で受けることができ、回動規制部材が変形するおそれが少なくなり、回動規制部材にかかる保持軸回りのモーメントを確実に受けることができる。
【００１０】
他の一態様では、前記回動規制装置において、前記回動規制部材は、第１当て止め部及び第２当て止め部を有し、前記保持軸は、前記回動リングの径方向における前記保持軸の軸心の位置が前記保持軸に保持された前記回動規制部材の前記第１当て止め部及び前記第２当て止め部のそれぞれにおける前記回動リングの径方向の最も径方向外側に位置する最外側部と同じか又は前記最外側部よりも内側になるように配置されていることを特徴とする。
【００１１】
これによれば、回動規制部材の第１当て止め部及び第２当て止め部で回動リングを当て止めした際に回動規制部材にかかる保持軸回りのモーメントを小さく抑えることができ、回動リングを確実に当て止めできる。
【００１２】
詳しくは、回動規制部材の第１当て止め部と第２当て止め部が回動リングの第１被当て止め部と第２被当て止め部とのそれぞれを当て止めした際、回動規制部材は第１被当て止め部又は第２被当て止め部からモーメントがかかり、そして、そのモーメントは、第１被当て止め部又は第２被当て止め部における径方向の外側に行くほど大きくなって最も外側に位置する最外側部で最大となる。本発明では、回動リングの径方向における保持軸の軸心の位置が保持軸に保持された回動規制部材の第１当て止め部及び第２当て止め部の最外側部と同じか又は最外側部よりも内側になるように配置されているため、保持軸が回動リングの第１被当て止め部又は第２被当て止め部から回動規制部材にかかるモーメントを受けることができ、第１被当て止め部又は第２被当て止め部から回動規制部材にかかる保持軸回りのモーメントを小さく抑えることができる。
【００１３】
本発明の一態様にかかるレンズ鏡胴は、上述の何れかの回動規制装置を備えたことを特徴とする。
【００１４】
これによれば、レンズ鏡胴の回動規制部材は保持部材に形成された１つの保持軸に保持されて回り止め部によって保持軸に保持された回動規制部材が保持軸回りに回らないようにされているため、保持軸を所定の位置に形成し易く、回動規制部材が保持部材に対する配置ずれが少なくなる。しかも、弾性体からなる回動規制部材における回動リングの周方向の長さを短くでき、回動規制部材の寸法精度が向上するとともに、狭いスペースに回動規制部材を配置可能にでき、レンズ鏡胴全体の小型化が図られる。又、回動規制部材にかかる保持軸回りのモーメントを回動規制部材の幅全体で受けることができ、回動規制部材が変形するおそれが少なくなり、回動規制部材にかかる保持軸回りのモーメントを確実に受けることができる。
【発明の効果】
【００１５】
本発明の回動規制装置及びレンズ鏡胴は、回動規制部材が回動リングに対する設定位置に配置し易く、しかも、弾性体からなる回動規制部材の寸法精度が低下を抑え、回動規制部材の配置スペースを小さくできる。
【図面の簡単な説明】
【００１６】
【図１】本発明の一実施の形態の回動規制装置を有するレンズ鏡胴の断面図である。
【図２】図１の回動規制装置の要部の分解斜視図である。
【図３】図１の回動規制装置に用いられる回動リングを回動させて当て止めした状態の一部を拡大した正面図である。
【図４】図３の状態から回動リングを反対方向に回動して当て止めした状態の一部を拡大した正面図である。
【発明を実施するための形態】
【００１７】
以下、本発明の実施の形態について、図面を参照しながら詳細に説明する。図１は、本発明の回動規制装置を有するレンズ鏡胴の断面図、図２は、回動規制装置の要部の分解斜視図である。尚、図のＸ方向を対物側とし、Ｙ方向を像側として説明する。
【００１８】
この実施形態のレンズ鏡胴１は、図１に示すように鏡胴本体２と、回動規制装置３とを備えている。鏡胴本体２は、円筒状の固定筒４と、レンズ群５１〜５４とを備えている。
【００１９】
レンズ群は、この実施形態では、対物側から像側に順に配置された第１レンズ群５１、第２レンズ群５２、第３レンズ群５３及び第４レンズ群５４とを備えている。
【００２０】
第１レンズ群５１と第３レンズ群５３とは、それぞれ、１又は複数のレンズを備え、第１レンズ群５１と第３レンズ群５３とのそれぞれの有効径外部５１１、５３１（図４に図示）が固定筒４に固定的に保持されている。
【００２１】
第２レンズ群５２は、１又は複数のレンズを備え、第２レンズ群５２の効径外部５２１が固定筒４に、光軸方向（Ｘ−Ｙ方向、固定筒４の軸方向）に移動可能に保持されている。
【００２２】
第４レンズ群５４は、手ブレ補正レンズをなすもので、１又は複数のレンズを備え、第４レンズ群５４の有効径外部５４１が固定筒４に固定状態と固定解除状態とに切り替え可能に保持されている。
【００２３】
この第４レンズ群５４の有効径外部５４１には、図示しないが第１コイルと及び第２コイルが付設されている。又、第４レンズ群５４の有効径外部５４１には、後述の回動リング３１の固定用操作片３１４を介して保持部材３２に固定される径内側挟持部５４１ｃが付設されている。
【００２４】
回動規制装置３は、図２に示すように回動リング３１と、回動リング３１を回動自在に保持する保持部材３２と、回動リング３１を当て止めする回動規制部材３３とを備えている。
【００２５】
回動リング３１は、この実施形態では、第４レンズ群５４を保持部材３２に固定状態と固定解除状態に切り替え操作するもので、この回動リング３１は、略円環状のものからなり、外周に、周方向に互いに間隔を隔てて配置され回動規制部材３３に当て止めされる第１被当て止め部３１１及び第２被当て止め部３１２を備えている。
【００２６】
第１被当て止め部３１１及び第２被当て止め部３１２は、この実施形態では、回動リング３１の外周の一部を周方向に所定の長さで径方向内側に略コの字状に凹ませた凹部３１０を形成し、そして、その凹部３１０の周方向で対向する２つの内側面における図２、図３の時計方向側の内側面が第１被当て止め部３１１とされ、図２、図３の反時計方向側の内側面が第２被当て止め部３１２とされている。
【００２７】
又、回動リング３１は、外周における第１被当て止め部３１１の周方向側にギア部３１３を備えている。
【００２８】
又、回動リング３１は、保持部材３２と対向する像側の面に固定用操作片３１４を備えている。固定用操作片３１４は、回動リング３１の像側の面から像側の保持部材３２側に突設されている。
【００２９】
保持部材３２は、図１、図２に示すように回動リング３１と対向する対物側の面に回動リング３１を回動自在に保持した第１保持部材３２１と、第４レンズ群５４の有効径外部５４１を挟んで第１保持部材３２１と反対側に配置された第２保持部材３２２とを備えている。
【００３０】
第１保持部材３２１は、対物側の面に、回動リング３１を回動自在に保持した複数（この実施形態では３つ）の保持片３２１ｆと、回動規制部材３３を保持した１つの保持軸３２１ａと、保持軸３２１ａに保持された回動規制部材３３が保持軸３２１ａ回りに回らないように回り止めする回り止め部３２１ｂ、３２１ｃとを備えている。
【００３１】
保持軸３２１ａは、この実施形態では、円柱状のものからなり、第１保持部材３２１の一方面から回動リング３１側に突設されている。尚、この保持軸３２１ａは、第１保持部材３２１と別体のものから構成してもよいが、第１保持部材３２１の成形に際して一体的に形成されたものでもよい。
【００３２】
回り止め部は、回動リング３１の周方向に互いに間隔を隔てて互いの間に回動規制部材受容部３２０を形成するように配置された２つの第１回り止め部３２１ｂと第２回り止め部３２１ｃとを備えている。
【００３３】
又、第１保持部材３２１は、保持軸３２１ａの周方向側に、回動リング３１のギア部３１３と噛合する駆動ギア３２１ｅを備えている。この駆動ギア３２１ｅは、第１保持部材３２１の像側の面に保持された駆動モータ３２１ｈの軸に取り付けられており、駆動モータ３２１ｈの一方向側への回転に伴って一方向側に回転し、駆動モータ３２１ｈの他方向側への回転に伴って他方向側に回転する。
【００３４】
又、第１保持部材３２１は、中心部に光通過用の孔３２１ｉを備え、その孔３２１ｉの内周に、径外側挟持部３２１ｇを備えている。この径外側挟持部３２１ｇは、径内側挟持部５４１ｃの径よりも径大となる位置に形成されている。
【００３５】
このように構成された第１保持部材３２１は、保持片３２１ｆによって回動リング３１を保持し、その状態で固定筒４に固定的に保持されている。そして、駆動ギア３２１ｅの一方向側への回転に伴い回動リング３１が駆動ギア３２１ｅと反対側の他方向側に回動し、駆動ギア３２１ｅの他方向側への回転に伴い回動リング３１が一方向側に回動する。
【００３６】
第２保持部材３２２は、図２に示すように、中心部に光通過用の孔を備えている。又、第２保持部材３２２は、第４レンズ群５４の有効径外部５４１と対向する対物側の面における第４レンズ群５４に付設された第１コイルに対向する位置に配置された第１マグネット（図示せず）と、第２コイルに対向する位置に配置された第２マグネット（図示せず）とを備えている。
【００３７】
このように構成された第２保持部材３２２は、第１保持部材３２１の像側に配置されて固定筒４に固定的に保持されている。
【００３８】
又、この状態で、第４レンズ群５４の有効径外部５４１は、第１保持部材３２１と第２保持部材３２２との間に、図示しない付勢部材によって第２保持部材３２２に設けられた図示しないベアリングに押し付けられるようにして、光軸方向に直交する固定筒４の径方向に移動可能に配置されている。又、第１保持部材３２１の径外側挟持部３２１ｇと第４レンズ群５４の径内側挟持部５４１ｃとの間に径方向に隙間７が形成されている。
【００３９】
次に、回動規制部材３３について説明する。回動規制部材３３は、合成ゴム又はウレタンフォーム等の弾性体から構成されている。この実施形態の回動規制部材３３は、図３に示すように所定厚さの略直方体状を呈しており、第１保持部材３２１の保持軸３２１ａが嵌入する軸嵌入孔３３１を備えている。この軸嵌入孔３３１は、断面円形状に形成されている。尚、軸嵌入孔３３１は、断面６角形や断面８角形等の多角形状に形成されてもよい。
【００４０】
又、回動規制部材３３は、長手方向の一方側に、第１保持部材３２１の回動規制部材受容部３２０に嵌挿される嵌挿部３３２を備え、長手方向の他方側に、回動リング３１を当て止めする当て止め部３３３ａ、３３３ｂを備えている。
【００４１】
嵌挿部３３２は、回動規制部材３３の幅方向の一方端面に、第１保持部材３２１の第１回り止め部３２１ｂに当接する第１当接部３３２ａを備え、回動規制部材３３の幅方向の他方端面に、第１保持部材３２１の第２回り止め部３２１ｃに当接する第２当接部３３２ｂを備えている。
【００４２】
当て止め部は、回動規制部材３３の幅方向の一方端面に形成され回動リング３１の第１被当て止め部３１１を当て止めする第１当て止め部３３３ａと、回動規制部材３３の幅方向の他方端面に形成され回動リング３１の第２被当て止め部３１２を当て止めする第２当て止め部３３３ｂとから構成されている。このようにして、１つの回動規制部材３３における回動リング３１の周方向に沿う幅方向の一方端面に第１当て止め部３３３ａを、他方端面に第２当て止め部３１２を、それぞれ形成することで、回動規制部材を容易に形成できる。
【００４３】
このように構成された回動規制部材３３は、図３に示すように長手方向の一方側の嵌挿部３３２が回動リング３１（第１保持部材３２１）の径方向外側に、長手方向の他方側の当て止め部３３３ａ、３３３ｂが回動リング３１（第１保持部材３２１）の径方向内側に、それぞれ位置するとともに、当て止め部３３３ａ、３３３ｂが回動リング３１の凹部３１０内に配置した状態で、軸嵌入孔３３１に保持軸３２１ａが嵌入する。これにより、回動規制部材３３が第１保持部材３２１に保持される。
【００４４】
この保持された状態で、回動規制部材３３の嵌挿部３３２が第１保持部材３２１の回動規制部材受容部３２０に嵌挿され、第１当接部３３２ａと第１保持部材３２１の第１回り止め部３２１ｂとが当接し、第２当接部３３２ｂと第１保持部材３２１の第２回り止め部３２１ｃとが当接した状態になる。従って、回動規制部材３３は、保持軸３２１ａ回りに回らないように回り止めされた状態になっている。
【００４５】
又、この状態で、回動規制部材３３は、幅方向が回動リング３１（第１保持部材３２１）の円周方向に沿い、又、第１当て止め部３３３ａと回動リング３１の第１被当て止め部３１１とが周方向で対向し、第２当て止め部３３３ｂと回動リング３１の第２被当て止め部３１２とが周方向で対向している。
【００４６】
又、この状態で、回動リング３１の径方向における保持軸３２１ａの軸心Ｏの位置が回動規制部材３３の第１当て止め部３３３ａ及び第２当て止め部３３３ｂのそれぞれにおける回動リング３１の径方向の最も外側に位置する最外側部３３４と同じ位置か又は最外側部３３４よりも内側になるように配置されている。
【００４７】
この実施形態では、回動リング３１の中心から保持軸３２１ａの軸心Ｏまでの距離Ｌ１と回動リング３１の中心から最外側部３３４までの距離Ｌ２と略同じに形成され、回動リング３１の径方向における保持軸３２１ａの軸心Ｏと最外側部３３４とがほぼ同じ位置に形成されている。
【００４８】
次に、この実施形態のレンズ鏡胴１の動作について説明する。回動リング３１の第１被当て止め部３１１が第１当て止め部３３３ａに当て止めされた図３の状態から、駆動モータ３２１ｈの始動によって駆動ギア３２１ｅが図３の反時計方向に回動して回動リング３１が時計方向側（他方向側）に回動すると、図４に示すように回動リング３１の第２被当て止め部３１２が第２当て止め部３３３ｂに当て止めされる。
【００４９】
その際、回動規制部材３３は第２被当て止め部３１２からモーメントがかかり、そして、そのモーメントは、第２当て止め部３３３ｂにおける径方向の外側に行くほど大きくなって最も外側に位置する最外側部３３４で最大となる。この実施形態では、保持軸３２１ａは回動リング３１の径方向における軸心Ｏの位置が第２当て止め部３３３ｂの最外側部３３４と略同じ位置になるように配置されているため、回動リング３１の第２被当て止め部３１２から回動規制部材３３の第２当て止め部３３３ｂにかかるモーメントを保持軸３２１ａで受けることができ、回動規制部材３３にかかる保持軸３２１ａ回りのモーメントを小さく抑えることができる。従って、弾性体からなる回動規制部材３３の変形や破損のおそれが少なくなる。
【００５０】
又、その回動リング３１の回動に際し、図４に示すように回動リング３１の固定用操作片３１４が第１保持部材３２１の径外側挟持部３２１ｇと第４レンズ群５４の径内側挟持部５４１ｃとの隙間７に入り込んで第１保持部材３２１と第４レンズ群５４とを固定し、第４レンズ群５４が固定状態になる。
【００５１】
一方、この図４に示す状態から、駆動ギア３２１ｅが図４の時計方向に回動して回動リング３１が反時計方向側（一方向側）に回動すると、図３に示すように回動リング３１の第１被当て止め部３１１が第１当て止め部３３３ａに当て止めされた状態になる。
【００５２】
この場合も、回動リング３１の径方向における保持軸３２１ａの軸心Ｏの位置が第１当て止め部３３３ａの最外側部３３４と同じ位置に配置されているため、回動リング３１の第１被当て止め部３１１から回動規制部材３３の第１当て止め部３３３ａにかかるモーメントを保持軸３２１ａで受けることができ、回動規制部材３３にかかる保持軸３２１ａ回りのモーメントを小さく抑えることができる。従って、弾性体からなる回動規制部材３３の変形や破損のおそれが少なくなる。
【００５３】
この回動リング３１の回動に際し、回動リング３１の固定用操作片３１４が第１保持部材３２１の径外側挟持部３２１ｇと第４レンズ群５４の径内側挟持部５４１ｃとの隙間から抜け出す。
【００５４】
これにより、第１保持部材３２１と第４レンズ群５４との固定が解除され、第４レンズ群５４が固定解除状態になり、この状態で、第４レンズ群５４が光軸方向に直交する固定筒４の径方向に移動可能になる。
【００５５】
第４レンズ群５４が固定筒４の径方向に可動することで、手ブレ補正が行われる。例えば第１コイルに電流が流されると、第４レンズ群５４が固定筒４の径方向の一方向側に移動し、第２コイルに電流が流されると、第４レンズ群５４が固定筒４の径方向の他方向側に移動し、手ブレ補正が行われる。
【００５６】
尚、上記実施形態では、回動規制装置３は、レンズ鏡胴１に用いられたが、レンズ鏡胴１に用いられる形態のものに限らず、レンズ鏡胴１以外の他の種々の装置に用いることができ、適宜変更使用できる。
【符号の説明】
【００５７】
１    レンズ鏡胴
２    鏡胴本体
３    回動規制装置
３１    回動リング
３２    保持部材
３３    回動規制部材
３２１ａ    保持軸
【図１】
0006476825.tif 000002
【図２】
0006476825.tif 000003
【図３】
0006476825.tif 000004
【図４】
0006476825.tif 000005